(57)【要約】携帯型コンピュータ装置は、入力データアイテムが時間及び位置情報を有するか判断するデータ受付論理を有する。そうでない場合、データアイテムは、クロック及びここではＧＰＳ（Ｇｌｏｂａｌ  Ｐｏｓｉｔｉｏｎｉｎｇ  Ｓｅｒｖｉｃｅ）システムである位置決定回路から取得された時間及び位置情報と共に格納される。画面は、時間モードまたは空間モードによりデータアイテムを表示するよう構成される。時間モードでは、時間間隔に時間情報を有するデータアイテムが時系列に表示される。空間モードでは、表示領域に時間情報を有するデータアイテムが、表示領域のマップ上に表示される。この表示は、時間モードと空間モードとの間で切り替えることが可能である。
2006500678.tif 000002
【特許請求の範囲】
【請求項１】
データ入力と、
制御入力と、
前記データ入力を介しデータを受付け、時間及び位置情報が存在するか判断し、時間及び/または位置情報を時間及び/または位置情報を有さないデータアイテムにそれぞれ追加し、各自の時間及び位置情報と共にデータアイテムをメモリに格納するよう構成されるデータ受付論理と、
時間モードと空間モードを含む複数のモードの１つにおいて前記メモリに格納されたデータアイテムを含むデータアイテムを表示させるよう構成される表示構成と、
を有する携帯型コンピュータ装置であって、
前記表示構成は、
前記制御入力を介した対応する入力に応答して、前記時間モードと前記空間モードとの間の切り替えをし、
前記時間モードでは、時間間隔の表示を、前記時間間隔における各データアイテムの時間情報を有し、前記時間情報に対応する位置に表示される前記データアイテムの表示と共に表示し、
空間モードでは、表示領域の表示を、前記表示領域内の各データアイテムの位置情報を有し、前記位置情報に対応する位置に表示される前記データアイテムの表示と共に表示するよう構成されることを特徴とする装置。
【請求項２】
請求項１記載の携帯型コンピュータ装置であって、さらに、
ズーム制御を有し、
該携帯型コンピュータ装置は、前記ズーム制御から入力を受付け、前記ズーム制御を介した入力に従って時間モードにより表示される時間間隔と前記空間モードによる表示領域を調整するため、前記表示のズーム設定を調整する、
ことを特徴とする装置。
【請求項３】
請求項２記載の携帯型コンピュータ装置であって、
前記データアイテムは、該データアイテムに関する情報と共に表示され、各データアイテムに対し表示される情報量は、前記ズーム制御により設定されるズーム設定により可変であることを特徴とする装置。
【請求項４】
請求項１乃至３何れか一項記載の携帯型コンピュータ装置であって、さらに、
位置情報を取得する位置決定構成と、
時間情報を決定するクロックユニットと、
を有し、
前記表示構成は、情報を表示する画面を有し、
前記データ入力は、双方向通信のための無線インタフェースを有するデータ交換回路を有する、
ことを特徴とする装置。
【請求項５】
請求項１乃至４何れか一項記載の携帯型コンピュータ装置であって、さらに、
データアイテムを選択するコントロールを有し、
前記選択されたデータアイテムは、時間モードと空間モードとの間の切り替えにおいて表示され続ける、
ことを特徴とする装置。
【請求項６】
請求項１乃至５何れか一項記載の携帯型コンピュータ装置であって、
前記データアイテムの表示は、前記データアイテムに対応するアイコンを表示することを特徴とする装置。
【請求項７】
請求項１乃至６何れか一項記載の携帯型コンピュータ装置であって、
前記データ受付論理は、各データアイテムと該データアイテムの位置、時間及びタイプを有する所定のフォーマットのタグを関連付けることを特徴とする装置。
【請求項８】
請求項１乃至７何れか一項記載の携帯型コンピュータ装置であって、さらに、
前記時間モードと前記空間モードの表示をスクロールするスクロールコントロールを有することを特徴とする装置。
【請求項９】
請求項１乃至８何れか一項記載の携帯型コンピュータ装置であって、さらに、
画像を記録するカメラを有することを特徴とする装置。
【請求項１０】
コンピュータ装置の動作方法であって、
入力データを受付けるステップと、
入力データが時間情報を有するか調べ、時間情報を有さない何れの入力データの時間を決定するステップと、
入力データが位置情報を有するか調べ、位置情報を有さない何れの入力データの位置として前記コンピュータ装置の位置を決定するステップと、
時間情報と位置情報の両方を有するデータアイテムとして入力データを記録するステップと、
時間モードまたは空間モードを選択する入力を受付けるステップと、
前記時間モードでは、データアイテムに対応してメモリに格納されている前記時間情報に従って、表示画面上に時系列上の時間間隔に前記データアイテムの表示を表示するステップと、
前記空間モードでは、データアイテムに対応する前記位置情報に従って、表示画面上に表示領域のデータアイテムの表示を表示するステップと、
を有することを特徴とする方法。
【請求項１１】
請求項１０記載の方法であって、さらに、
ズームコントロールを介し入力を受付け、前記空間モードでは前記表示領域を変更するため、及び前記時間モードでは前記時間間隔を変更するため、前記表示をズーム処理するステップを有し、
前記データアイテムは、該データアイテムに関する情報と共に表示され、各データアイテムに対し表示される情報量は、前記ズームコントロールにより設定されるズーム設定により可変である、
ことを特徴とする方法。
【請求項１２】
請求項１０または１１記載の方法であって、さらに、
新しいイベントに対応する画像を記録し、前記画像をデータアイテムとして前記時間情報と前記位置情報と共に格納し、前記データアイテムを表示するとき前記画像を表示するステップを有することを特徴とする方法。
【請求項１３】
請求項１０乃至１２何れか一項記載の方法のステップをコンピュータに実行させるよう構成されるコンピュータプログラムプロダクツ。
【請求項１４】
データキャリアに記録される請求項１３記載のコンピュータプログラムプロダクツ。
【発明の詳細な説明】
【発明の詳細な説明】
【０００１】
本発明は、携帯型コンピュータ装置に関し、他を排除するものではないがより詳細には、携帯情報端末（ＰＤＡ）として知られるタイプの携帯型コンピュータ装置と動作方法に関する。
【０００２】
ＰＤＡは、広範囲にわたり利用可能であり、一般に携帯形式による多数の計算サービスを提供する。一般に、その画面は約１０ｃｍ幅であり、カレンダー、日記やアドレス帳などと共に、いくつかの場合ではワープロやスプレッドシートなどのより大きなコンピュータ上で通常利用可能なさらなるサービスを含む多数のサービスが提供される。
【０００３】
しかしながら、ＰＤＡなどの携帯型コンピュータ装置により多くの機能とより向上させた一体化を提供することが有益であろう。
【０００４】
本発明によると、データ入力と、制御入力と、前記データ入力を介しデータを受付け、時間及び位置情報が存在するか判断し、時間及び/または位置情報を時間及び/または位置情報を有さないデータアイテムにそれぞれ追加し、各自の時間及び位置情報と共にデータアイテムをメモリに格納するよう構成されるデータ受付論理と、時間モードと空間モードを含む複数のモードの１つにおいて前記メモリに格納されたデータアイテムを含むデータアイテムを表示させるよう構成される表示構成とを有する携帯型コンピュータ装置であって、前記表示構成は、前記制御入力を介した対応する入力に応答して、前記時間モードと前記空間モードとの間の切り替えをし、前記時間モードでは、時間間隔の表示を、前記時間間隔における各データアイテムの時間情報を有し、前記時間情報に対応する位置に表示される前記データアイテムの表示と共に表示し、空間モードでは、表示領域の表示を、前記表示領域内の各データアイテムの位置情報を有し、前記位置情報に対応する位置に表示される前記データアイテムの表示と共に表示するよう構成されることを特徴とする装置が提供される。
【０００５】
本発明による携帯型コンピュータ装置の効果は、直感的時間または空間ビューに従ってすべてのデータアイテムを表示するということである。
【０００６】
多くのデータアイテムが、時間情報または位置情報なしで入力されるということは理解される。しかしながら、本装置は、時間と位置を決定し、これらをデータアイテムと共に格納することが可能である。例えば、データが入力されると、現在の時間及び位置情報が画像と共に格納されてもよい。あるいは、一部のデータアイテムの位置情報または時間情報は、データアイテムにより設定されてもよい。例えば、コンタクトのアドレスは、位置情報の入力時における携帯型コンピュータ装置の位置でなく、アドレスの位置を位置情報として受け取ることが有用であるかもしれない。
【０００７】
時間及び位置情報は、時間情報、位置情報及びデータタイプを記録するタグとして格納されることが有用であるかもしれない。これらのタグは、装置間のデータアイテムの容易な交換を可能にし、本発明での利用に適したデータアイテムの容易な交換を可能にするよう所定のフォーマットを有するようにしてもよい。
【０００８】
好ましくは、ズームコントロールが備えられてもよい。このとき、本装置は、ズームコントローラから入力を受付け、当該入力に従って、時間モードでは表示される時間間隔を、空間モードでは表示領域を調整するよう構成されてもよい。ズームコントロールは、表示領域または時間間隔の調整を可能にする。一般には、携帯型コンピュータ装置は、狭いビューまたは広いビューが必要であるかわからず、正しいズーム設定の選択にはしばしばユーザ入力を必要とする。
【０００９】
データアイテムの表示は、当該データアイテムに対応するアイコンを利用するようにしてもよい。いくつかの場合では、アイコンは、データアイテム自体から取得されてもよい。例えば、画像や動画データアイテムでは、アイコンは画像または動画の一部または全体であってもよい。
【００１０】
好ましくは、携帯型コンピュータ装置は、画面と、データアイテム及び該データアイテムに対応する時間及び位置情報を格納するメモリと、双方向通信のための無線インタフェースを有するデータ交換回路と、位置情報を取得する位置決定構成と、時間情報を決定するクロックとを有する。
【００１１】
一実施例では、上記構成要素のそれぞれは、ズームコントロールや中央処理ユニットなどの他の構成要素と共に共通の筺体内に備えられる。しかしながら、他の実施例は、パーソナルエリアネットワークや他のローカルネットワークなどのネットワークを介し、互いに通信するよう構成される異なる筐体内に上記構成要素の一部を有する。
【００１２】
携帯型コンピュータ装置は、当業者には代替的または追加的に利用可能な他の多くのタイプのネットワークリンクを認識しているが、典型的には、携帯電話リンクを介しデータ入力を通じていくつかのサービスへのアクセスを与える。
【００１３】
データ受付論理は、プロセッサにデータ入力を介しデータを受付け、時間情報及び/または位置情報を持たないデータ入力を介し入力されたデータアイテムに対し、時間情報及び/または位置情報を決定し、各自の時間情報及び位置情報と共にデータアイテムをメモリに格納させるよう構成されるメモリに格納されたコードを有するようにしてもよい。データの受付けは、ハードウェアにより実行されてもよい。好ましくは、携帯型コンピュータ装置に入力または到着し、以降の表示のため格納されている各データアイテムは、時間及び位置情報と共に格納される。他の実施例では、所定のクラスのデータは、時間及び/または位置情報の損失に対してチェックを受ける。
【００１４】
同様に、表示構成は、専用グラフィックプロセッサまたはメインプロセッサに時間または空間モードによりデータアイテムを画面上に表示させるソフトウェアを有するようにしてもよい。この画面は、携帯型コンピュータ装置に一体化されてもよいし、あるいは別の構成要素として備えられてもよい。
【００１５】
好適な実施例は、データアイテムを選択するコントロールを有し、本装置は、データアイテムの選択において、表示が選択されたデータアイテムを中心とするよう表示し、時間モードと位置モードとの間の切り替えにおいて、選択されたデータアイテムが表示され続けるよう構成される。
【００１６】
好ましくは、本装置は、画像情報を記録するカメラを有する。
【００１７】
本発明による装置の柔軟性は、このような装置が現在のＰＤＡの機能を大きく高めることを可能にする。
【００１８】
本発明は、上述のような携帯型コンピュータ装置に関するのみでなく、他の特徴では、コンピュータ装置の動作方法であって、入力データを受付けるステップと、入力データが時間情報を有するか調べ、時間情報を有さない何れの入力データの時間を決定するステップと、入力データが位置情報を有するか調べ、位置情報を有さない何れの入力データの位置として前記コンピュータ装置の位置を決定するステップと、時間情報と位置情報の両方を有するデータアイテムとして入力データを記録するステップと、時間モードまたは空間モードを選択する入力を受付けるステップと、前記時間モードでは、データアイテムに対応してメモリに格納されている前記時間情報に従って、表示画面上に時系列上の時間間隔に前記データアイテムの表示を表示するステップと、前記空間モードでは、データアイテムに対応する前記位置情報に従って、表示画面上に表示領域のデータアイテムの表示を表示するステップとを有することを特徴とする方法に関する。
【００１９】
好ましくは、本方法は、ズームコントロールを介し入力を受付け、空間モードでは表示領域を変更し、時間モードでは時間間隔を変更するよう表示をズーム処理するステップを有し、データアイテムは関連する情報と共に表示され、各データアイテムに対し表示される情報量はズームコントロールにより設定されるズーム設定により可変とされる。このようにして、表示される情報量は、さらなるコントロールを要することなく可変とされることが有用であるかもしれない。
【００２０】
好ましくは、本方法はさらに、新しいイベントに対応する画像を記録し、この画像をデータアイテムとして時間及び位置情報と共に格納し、データアイテムを表示するとき当該画像を表示するステップを有する。
【００２１】
他の特徴によると、本発明は、上記方法の各ステップをコンピュータに実行させるよう構成されるコンピュータプログラムプロダクツに関する。便宜上、コンピュータプログラムプロダクツは、データキャリア上に記録されてもよい。
【００２２】
さらなる特徴によると、本発明は、画面と、データアイテムと該データアイテムに対応する時間及び位置情報を格納するメモリと、双方向通信のための無線インタフェースを有するデータ交換回路と、位置情報を取得する位置決定構成と、時間情報を決定するクロックユニットと、時間及び/または位置情報を有さないデータアイテムに対し時間及び/または位置情報を決定し、データアイテムを該データアイテムに対応する時間及び位置情報と共にメモリに格納し、時間モードでは、時間情報に対応する時系列に沿った位置にメモリに格納された時間情報に従う時間間隔に時間情報を有するデータアイテムの表示を画面上に時系列に表示することによりデータアイテムを表示し、空間モードでは、位置情報に対応する位置にメモリに格納された位置情報に従う表示領域内に位置情報を有する表示領域データの表示を画面上に表示することによりデータアイテムを表示し、時間または空間モードに何れかによりデータアイテムを表示するため、時間モードと空間モードとの間を切り替えるための入力を受付けるよう構成されるコードとを有する携帯型コンピュータ装置に関する。
【００２３】
添付された図面を参照して、本発明の実施例が純粋に例示のため説明される。
【００２４】
ＰＤＡ２は、筺体４とこの筺体に取り付けられた画面６を有する。この画面は、画像の表示に適した任意のタイプの画面であってもよく、他の多数のタイプのディスプレイが利用可能であると当業者は認識するであろうが、約１２ｃｍの幅の６４０×３２０画素を有するディスプレイが、市場から入手可能であり、適している。
【００２５】
複数のコントロール１０がまた筺体上に取り付けられている。トラックボール１２はスクロールのため備えられ、ローラの形態のズームコントロール１４もまた筺体上に備えられている。これら２つのコントロールは、装置の利用時に通常用いられるアクションであることから、スクロール及びズーム処理にそれぞれ専用とされる。いくつかのボタン１６がまた備えられ、これらボタンの１つは、ディスプレイ上でデータアイテムを選択するための選択ボタン１８である。
【００２６】
筺体４は、メモリ２２、中央処理ユニット２４、及び携帯電話インタフェース２６と無線ＬＡＮ（Ｌｏｃａｌ  Ａｒｅａ  Ｎｅｔｗｏｒｋ）インタフェース３８などの無線インタフェース２６を有する電子回路２０を有する。無線インタフェースは、データ入力装置として機能する。
【００２７】
位置決定回路２８がまた備えられる。例えば、これはＧＰＳ（Ｇｌｏｂａｌ  Ｐｏｓｉｔｉｏｎｉｎｇ  Ｓｅｒｖｉｃｅ）を利用するが、無線ビーコンの利用など他の位置決定方法が存在するということは理解されるであろう。
【００２８】
当該回路はまた、画像の取り込みのため、筺体の外部に取り付けられるカメラ３０を有する。中央処理ユニット２４には、クロック３２が備えられる。
【００２９】
上記構成要素のすべてと、それらの代替物は、当業者には個々に周知であり、さらなる説明はなされない。
【００３０】
メモリ２２は、中央処理ユニットを制御するコード４０と、データアイテム４４を格納するデータベース４２とを有する。本例では、データベースはリレーショナルデータベースであるが、このことは本質的ではない。メモリ２２は、ＲＡＭ（Ｒａｎｄｏｍ  Ａｃｃｅｓｓ  Ｍｅｍｏｒｙ）と、大量のデータを格納するハードディスクを有する。コンパクトフラッシュ（登録商標）メモリなどの他の大規模記憶装置が、ハードディスクと共に、あるいはその代わりに備えられてもよい。
【００３１】
データベース４２は、データアイテム４４と共に、当該データアイテムに添付された位置、場所及びタイプを示すタグ４５（図２）を格納する。データアイテムの入力に際し位置や時間が与えられない場合、クロック３２を利用して時間情報が与えられ、一決定回路２８を利用して位置情報が与えられるようにしてもよい。
【００３２】
その使用において、コンピュータは、入力（すなわち、制御入力）を待機し（ステップ５０）、スイッチステップにおいて、当該入力に従いとられるべき動作を決定する（ステップ５２）。
【００３３】
ボタン１６上などの入力が表示モード間の切り替えを要する場合、表示が切り替えられる（ステップ５４）。このような制御入力はまた、画面上のポインタ装置を用いて適切な制御記号を選択することなどによる他の方法により与えられてもよい。
【００３４】
時間モードでは、ディスプレイは、時間間隔を表すタイムラインを表示し、時間間隔内の時間情報を有する任意のデータアイテムが、当該時間情報に対応するタイムラインに沿った位置に表示される。時間間隔が大きく、表示すべきデータアイテム数が多すぎる場合、これらのデータアイテムの一部は表示しないようにしてもよい。
【００３５】
好ましくは、時間モードの表示のバックグラウンドには、日中夜間、温度、季節及び日付をグラフィカルに表す他の情報などの時間情報が含まれる。例えば、このバックグラウンドは、日中を表す表示領域と比較して、夜間を表す表示領域ではやや暗めに表示されてもよい。
【００３６】
位置モードでは、ディスプレイは、好ましくはマップやプランの形式により領域の表示と共に、格納された位置情報による当該領域内の位置情報を有する任意のデータアイテム４４を表示する。
【００３７】
これにより、ディスプレイは、データを時間的かつ空間的に表す時間と位置モードにおいて切り替え可能となる。
【００３８】
スイッチステップ５２がズームコントロール１４の操作を検出すると、ステップ５６に切り替えられ、時間モードで表示される時間量と位置モードでの領域が変更される。これにより、ズームインまたはズームアウトによるユーザに所望されるスケールで表示される情報の取得が可能となる。好ましくは、各データアイテムに対し表示される情報量は、ズーム設定により変更することができる。このため、ズームインにより、各データアイテムに関するより多くの情報が表示される。例えば、ズームアウト時には、通話がシンプルなアイコンによりディスプレイ上に表示されるようにしてもよい。ズームインにより、ディスプレイは、通話中の電話番号と通話時間を自動的に表示するようにしてもよい。他の例では、ウェブセッションが、ズームアウト時にシンプルなアイコンにより再表示され、アクセスされるウェブページが抽出可能となるように、アクセスされる各ページのサムネイル画像によりズームイン時に取り替えられるようにしてもよい。
【００３９】
トラックボール１２上の入力は、表示を切り替えるため、ステップ５２からステップ５８への切り替えを実行させる。時間モードでは、トラックボール１２上の入力は、時間間隔を前後に移動させる。同様に、位置モードでは、トラックボールの操作により表示領域がシフトされる。
【００４０】
選択ボタン１８上に与えられる入力は、表示されるデータアイテムを選択させるものである（ステップ６０）。選択されたデータアイテムは、ディスプレイの中央に最も近いデータアイテムであってもよいし、あるいは画面上に表示される可動ポインタに最も近いデータアイテムであってもよい。好ましくは、時間と位置モード間の切り替えは、ディスプレイ中央の選択されたデータアイテムにより新しいモードに移行する。
【００４１】
データアイテムはまた、例えば、選択ボタンを「ダブルクリック」することにより開かれるようにしてもよい（ステップ６２）。ＰＤＡによる開かれたデータアイテムの処理及び表示方法は、当該データアイテムに依存するであろう。例えば、画像を開くことは単に画像を表示させるだけであるが、テキスト情報を開くことはテキストエディタを開かせるかもしれない。当業者は、他の多くのタイプのデータアイテムととられるべき対応するアクションに精通しているであろう。
【００４２】
一例では、撮影された画像はアルバムに配置され、オーディオビジュアル表示を与えるよう音声などの他のデータと合成されてもよい。自動的に記録される時間及び位置情報は、さらなるユーザ入力なしに情報を自動的にインデックス処理するためのインデックスとして機能する。
【００４３】
表示されたデータアイテムが、インデック処理及び位置と時間表示への表示のため、位置及び時間情報を必要とするということは理解されるであろう。従って、例えば、無線インタフェース２６へのダウンロードにより、キーボードやポインタ装置を介した入力により、あるいはカメラ３０などによる取り込みにより、入力データが装置に到達すると（ステップ７０）、当該データが時間情報を含んでいるか判断される。時間情報を含んでいない場合、現在時間が決定される（ステップ７４）。同様に、当該データが位置情報を含んでいるか判断され（ステップ７６）、含んでいない場合には、現在位置が決定される（ステップ７８）。その後、当該データは、時間、日付及びデータタイプ情報を記録したタグと共に格納される（ステップ８０）。
【００４４】
本発明は、データ及びサービスへのアクセスを与え、容易に抽出可能なフォーマットにより情報を格納する便利な一体化されたＰＤＡを提供する。
【００４５】
ＰＤＡは、単なる無線アプリケーションプロトコルの一部だけでなく、フルにインターネットにアクセスすることができ、サービス及び情報の全範囲にアクセスする。好ましくは、適当な位置での広帯域幅低コストのアクセスのための無線ＬＡＮインタフェースと共に、任意の位置でのアクセスのための携帯電話インタフェースを有する。
【００４６】
トラックボールを使用することにより、大きなポケットにフィットするようにサイズ調整された画面上での容易なスクロール処理を可能にする。
【００４７】
上述の実施例では、ソフトウェアは、他にもいくつかの機能を有する。特に、ソフトウェアは、データの記録位置及び時間を含むデータを自動収集し、また他の情報が追加されてもよい。例えば、本装置は温度センサを備え、温度データが記録されてもよい。
【００４８】
通常のタグにより用いられるデータフォーマットは、データの容易な交換を可能にする。
【００４９】
本装置の効果は、具体例から明らかになるであろう。
【００５０】
ユーザが以前に撮影した写真を見ているとする。時間ビューへの切り替えによって、この撮影時刻前後の時間に関する情報が大きな時系列（図５の９０）により表示される。ズーム制御動作は、撮影時刻前後１０分の時間間隔にディスプレイが調整されることを可能にする。撮影の数分後のウェブブラウジング及び通話のためのアイコン９２が表示され、これによりユーザは、アクセスされたウェブサイトと通話の詳細９６を確認するためズームインすることができる。
【００５１】
このとき、時間が日中か夜間か、あるいは温度などの他の情報９８がバックグラウンドに表示される。
【００５２】
ウェブページにアクセスするためのビューに切り替えることにより、時系列表示に戻ることが選択可能な境界と共に、ウェブページが表示される。
【００５３】
この具体例で引き続き、ウェブページは店を記載している。ウェブページは時間と位置を指定するタグを有するため、タグは当該店舗の正確な位置を示すマップを表示する図６に示されるスペースビュー９４への切り替えを可能にする。スペースビューはまた、この例が開始された写真を含むいくつかの写真を表示する。再び、ディスプレイは、ズーム制御を用いて店舗の周辺のより広いまたはより狭い領域の表示を可能にするため、ズームインまたはズームアウトすることが可能である。
【００５４】
ユーザは、起こったこと及びさらなる情報を見つけるため、ブラウジングを継続することができる。これにより本発明は、パーソナルダイアリとして多くの方法により機能する携帯情報端末を提供し、例えば、所与の日のユーザの挙動の表示を可能にする。
【００５５】
本発明は、上述のＰＤＡに限定されるものでなく、多くの変形が可能である。画面タイプ、メモリ及び他のコンポーネントは、必要に応じて変更可能である。
【００５６】
他の実施例では、携帯型コンピュータ装置は、いくつかの別のコンポーネントに分散可能である。例えば、カメラは、別のＰＤＡコンポーネントと通信するよう構成された他の筺体の別のカメラであってもよい。通信リンクは、永続的に、またはカメラがＰＤＡの近傍に配置されたときなどある状況下の下でのみ確立されるようにしてもよい。コンポーネント間の通信は、例えば、ＰＡＮ（Ｐｅｒｓｏｎａｌ  Ａｒｅａ  Ｎｅｔｗｏｒｋ）インタフェースを用いた有線または無線化されていてもよい。
【００５７】
クロックユニットは、物理的クロック、または無線インタフェース上で受信された時間情報を読み込むことにより時間情報を決定する他の手段であってもよい。
【００５８】
本開示を読むことにより、当業者には他の変形および改良が明らかになるであろう。このような変形及び改良は、形態型コンピュータ装置の設計、製造及び使用において既知であり、ここで説明された特徴に加えて、あるいはその代わりに利用可能な均等及び他の特徴に関するものであってもよい。
【図面の簡単な説明】
【００５９】
【図１】図１は、本発明によるＰＤＡの概略を示す。
【図２】図２は、データアイテム及びタグを示す。
【図３】図３は、図１のＰＤＡによる情報を表示するための動作のフロー図を示す。
【図４】図４は、図１のＰＤＡのデータ入力処理のフロー図を示す。
【図５】図５は、時間モードでの表示を示す。
【図６】図６は、空間モードでの表示を示す。
【図１】
2006500678.tif 000003
【図２】
2006500678.tif 000004
【図３】
2006500678.tif 000005
【図４】
2006500678.tif 000006
【図５】
2006500678.tif 000007
【図６】
2006500678.tif 000008
【国際調査報告】
2006500678.tif 000009
2006500678.tif 000010